(57)【要約】【課題】カタログのイラストに記載される部品名コードを、機械的にマッチング処理させ、瞬時に部品名コードの相互チェックを行う。【解決課題】イラスト情報をグループ番号毎に階層化処理して部品名コードを階層構造にまとめる出力データ変換手段、出力データ変換手段で変換されたデータをデータベースサーバーを介して格納されたイラスト情報ファイル、データベースサーバーに接続され、グループ番号毎に関係付けて部品名コードを記録したリストデータファイルと、部品カタログの番号毎に関係付けてイラスト番号を記録したカタログ番号ファイルとを格納したリスト・カタログ情報ファイル群、およびモニタ画面に表示状態にあるイラストに関する部品名コードと、リストデータファイルから読み出された部品名コードとを相互チェックするマッチング処理手段を備える。【選択図】      図１
2004348521.tif 000002
【特許請求の範囲】
【請求項１】
設計製図作画支援アプリケーションにより部品カタログ掲載用のイラストを作画するユーザー端末、このユーザー端末で作画されたイラスト上に記されるグループ番号、部品名コード、イラスト番号等のイラスト情報を数値化して記録された出力データファイル、この出力データファイルの上記イラスト情報を上記グループ番号毎に階層化処理して上記部品名コードを階層構造にまとめる出力データ変換手段、この出力データ変換手段で変換されたデータをデータベースサーバーを介して格納されたイラスト情報ファイル、上記データベースサーバーに接続され、上記グループ番号毎に関係付けて部品名コードを記録したリストデータファイルと、部品カタログの番号毎に関係付けて上記イラスト番号を記録したカタログ番号ファイルとを格納したリスト・カタログ情報ファイル群、および上記モニタ画面に部品名コードのチェック対象となるイラストを表示した状態において、上記イラスト情報データベースから読み出された上記表示状態にあるイラストに関する部品名コードと、上記リストデータファイルから読み出された部品名コードとを相互にチェックしてアンマッチの有無を演算するマッチング処理手段を具備したことを特徴とするカタログの部品名コードマッチングシステム。
【請求項２】
上記ユーザー端末と上記データベースサーバーとを、通信ネットワークを介して接続したことを特徴とする請求項１記載のカタログの部品名コードマッチングシステム。
【請求項３】
上記ユーザー端末に、マッチングのチェック対象となるイラストを、複数表示しうる閲覧表示制御手段が設けられていることを特徴とする請求項１または２記載のカタログの部品名コードマッチングシステム。
【請求項４】
上記ユーザー端末には、上記マッチング処理手段による演算結果を順次格納する表を有することを特徴とする請求項１乃至３のいずれか一項に記載のカタログの部品名コードマッチングシステム。
【請求項５】
上記閲覧表示制御手段は、上記マッチング処理手段による演算結果がアンマッチと判断された場合には、そのアンマッチとなったイラストの該当する部品名コードを強調して表示させる強調表示手段を備えたことを特徴とする請求項３または４記載のカタログの部品名コードマッチングシステム。
【請求項６】
上記ユーザー端末には、上記リストデータファイルのリストデータの修正・変更を可能にするデータ補正手段が設けられていることを特徴とする請求項１乃至６のいずれか一項に記載のカタログの部品名コードマッチングシステム。
【発明の詳細な説明】
【０００１】
【発明の属する技術分野】
本発明は、設計製図作画支援アプリケーションを利用して部品カタログに掲載するイラストを作画する場合において、作画されたイラストレーション（以下「イラスト」という）に付随的に記載される部品名コードが、リスト掲載の部品名コードと合致（マッチング）するか否かを、ユーザー端末のモニタ画面上で自動的にチェックするようにしたカタログの部品名コードマッチングシステムに関するものである。
【０００２】
【従来の技術】
【特許文献１】特開平７−２２５７８０号公報
【０００３】
従来、例えば、自動車製造・販売会社等が作成する部品カタログは、図９示すように、部品（パーツ）をイラスト表示したページＡ（以下、「イラストＡ」ともいうことにする）と、図１０に示すように、そのイラストに表された部品の部品名コードをリスト形式で記載した部品名コードリストのページＢ（以下、「リストＢ」ともいうことにする）とで構成されている。そして、イラストＡは、設計製図作画支援アプリケーション（例えば、Ｍｉｃｒｏ  ＣＡＤＡＭ「登録商標」やＣＡＤ等）を利用して作画される。すなわち、図１１に示すように、予め準備された自動車製作図面Ｃを手元において、イラスト作成者がそのユーザー端末Ｄにインストールされた設計製図作画支援アプリケーションを利用して、イラストＡを作画する。このとき、イラスト作成者は、そのイラストＡに、「カタログ番号」（部品カタログの表紙や背表紙等に記載されたりする）、イラストで表示された部品が属する「グループ番号」Ｅ、各部品の「部品名コード」（以下、ＰＮＣ（「ＰＡＲＴ  ＮＡＭＥ  ＣＯＤＥ」の略）ともいうことにする）Ｆ、イラストＡの属する「イラスト番号」Ｇ等のリストデータを逐次付していくことで、イラストＡの作画作業を終了させる。こうして、作画が完成したイラストＡは、ユーザー端末Ｄの指令によりプリンターから紙媒体として打ち出される。
【０００４】
他方、本社ホストコンピュータＨから通信ネットワークを介して支社ホストコンピュータＩに送信されてきた部品名コードに関するリストデータは、プリンターＪによりリストＢとして紙出力される。
【０００５】
イラスト作成者は、部品カタログが製品として製本される前に、紙出力されたイラストＡに記載されている部品名コードＦが、リストＢの部品名コード欄Ｆ１に記載された部品名コードＦとマッチングするかどうかについて、ＰＮＣ（キー）の相互チェックを紙面同士を突き合わせて行っていた。
ＰＮＣの相互チェックの結果、ＰＮＣのアンマッチングがなければ、目次等の作成（前付け）Ｋをした後に、写真製版等のための部品カタログの原稿（版下）Ｌを作成し、カタログを製本Ｍする。
【０００６】
ところで、設計製図支援アプリケーションであるＣＡＤを利用して図面を作成する技術として、上記特許文献１の特開平７−２２５７８０号公報がある。この公報に記載したものは、ＣＡＤを利用して作成したＣＡＤ図面に表示された部品相互間の関連性を図面に持たせ、これにより図面対部品の関係だけでなく、図面対図面、部品対部品等の関連性をも図面データに持たせることで、図面データの利用範囲を拡大するようにしたものであり、上記のように、ＰＮＣの相互チェックをコンピュータ上で行うようにしたものではない。
【０００７】
【発明が解決しようとする課題】
しかしながら、上記従来の、リストＢ記載の部品名コード（項目）と、イラストＡの部品名コードとが合致しているかどうかのチェック（ＰＮＣチェック）にあっては、イラストＡとリストＢとを一対一に突き合わせ、一点ずつ消し込んでの、目視チェックによる作業となり、それだけイラスト作成者ないしはチェック作業者の疲労が嵩むことになり、時間と手間を要し、ややもすれば見落としたり、めんどうで熟練度を要する作業でもあるため、第三者（例えば、上位者）による検証も必然困難になる、といった問題があった。
【０００８】
本発明は、上記のような問題を克服することを目的として工夫されたものであって、設計製図作画支援アプリケーションを利用して作画されたイラストに記載された部品名コードと、リストデータに記載された部品名コードとのマッチング作業を、コンピュータにより機械的にマッチング処理させることにより、瞬時にＰＮＣの相互チェックを行えるようにして、目視によるチェックを不要化し、チェック洩れを発生しないカタログの部品名コードマッチングシステムを提供するのが目的（課題）である。
【０００９】
上記課題を解決するために、本発明においては次のような手段を講ずることとした。すなわち、請求項１記載の発明は、カタログの部品名コードマッチングシステムであって、設計製図作画支援アプリケーションにより部品カタログ掲載用のイラストを作画するユーザー端末、このユーザー端末で作画されたイラスト上に記されるグループ番号、部品名コード、イラスト番号等のイラスト情報を数値化して記録された出力データファイル、この出力データファイルの上記イラスト情報を上記グループ番号毎に階層化処理して上記部品名コードを階層構造にまとめる出力データ変換手段、この出力データ変換手段で変換されたデータをデータベースサーバーを介して格納されたイラスト情報ファイル、上記データベースサーバーに接続され、上記グループ番号毎に関係付けて部品名コードを記録したリストデータファイルと、部品カタログの番号毎に関係付けて上記イラスト番号を記録したカタログ番号ファイルとを格納したリスト・カタログ情報ファイル群、および上記モニタ画面に部品名コードのチェック対象となるイラストを表示した状態において、上記イラスト情報ファイルから読み出された上記表示状態にあるイラストに関する部品名コードと、上記リストデータファイルから読み出された部品名コードとを相互にチェックしてアンマッチの有無を演算するマッチング処理手段を具備したことを特徴とする。
【００１０】
この請求項１記載の発明では、イラスト作成者がユーザー端末において、設計製図作画支援アプリケーションを利用してイラストを作画すると、その作画データであるグループ番号、部品名コード、イラスト番号等のイラスト情報が、出力データファイルに記録される。この出力データファイルに記録されたイラスト情報は、出力データ変換手段によってグループ番号毎に階層化処理され、部品名コードがグループ番号毎の階層構造にまとめられるようにして変換処理される。こうして出力データ変換手段により階層構造に整理されたグループ番号毎の部品名コードに関するデータは、データベースサーバーを介してイラスト情報ファイルに格納される。
【００１１】
一方、リスト・カタログ情報ファイル群には、リストデータファイルと、カタログ番号ファイルとが格納されている。ユーザー端末からマッチング処理手段に部品名コードの相互チェックの指示を与えると、データベースサーバーを介してイラスト情報ファイルと、リスト・カタログ情報ファイル群との情報が読み取られ、イラスト情報ファイルから読み出された表示情報に基づいてイラストが表示され、その表示中にあるイラストに関係する部品名コードのテーブルと、リストデータファイルから読み出された部品名コードのテーブルとに基づいて、両者のテーブル間における部品名コードのアンマッチが相互に演算される。
【００１２】
こうして、マッチング処理手段により、イラスト側の部品名コードとリスト側の部品名コードとが相互にチェックされるので、瞬時にしてＰＮＣの相互チェックが可能となり、従来行っていたような紙媒体を見比べながらチェックすることを不要化し、また第三者のチェックの検証を同じ条件で行うことが可能となり、さらには、コンピュータを利用してチェックを行うので、ペーパーレス化を図ることができるようになる。
【００１３】
また、請求項２記載の発明は、請求項１記載のカタログの部品名コードマッチングシステムに係り、上記ユーザー端末と上記データベースサーバーとを、通信ネットワークを介して接続したことを特徴とする。
【００１４】
この請求項２記載の発明では、ユーザー端末とデータベースサーバーとの間を、例えば社内通信網であるインターネット、ＬＡＮ、ＷＡＮ、イントラネット、さらには広域通信網としてのエクストラネット等のネットワークで接続し、これによりクライアント・サーバーシステムを形成しているので、ユーザー端末を複数設置することで、イラスト作画作業だけでなく、ＰＣＮチェック作業、ひいては第三者による検証作業をも遠隔地から、同時にアクセスして行うことができ、これにより作業の効率化を大幅に向上することができるようになる。
【００１５】
また、請求項３記載の発明は、請求項１または２記載のカタログの部品名コードマッチングシステムに係り、上記ユーザー端末に、マッチングのチェック対象となるイラストを、複数表示しうる閲覧表示制御手段が設けられていることを特徴とする。
【００１６】
この請求項３記載の発明では、閲覧表示制御手段によって、ユーザー端末のモニタ画面上に複数枚のイラストを表示できるようにしているので、部品名コード、すなわちＰＮＣのマッチング作業の能率を向上できるようになる。
【００１７】
また、請求項４記載の発明は、請求項１乃至３のいずれか一項に記載のカタログの部品名コードマッチングシステムに係り、上記ユーザー端末には、上記マッチング処理手段による演算結果を順次格納する表を有することを特徴とする。
【００１８】
この請求項４記載の発明では、マッチング処理手段による演算結果が、ストックリストとして格納（登録）されるため、マッチングのデータ（結果）をモニタ画面に表示することができ、さらには、登録されたデータをプリンタ出力したりすることもでき、これによりマッチング処理後の作業を円滑に進められ、操作性に優れたマッチングシステムを得ることができるようになる。
【００１９】
また、請求項５記載の発明は、請求項３または４記載のカタログの部品名コードマッチングシステムに係り、上記閲覧表示制御手段は、上記マッチング処理手段による演算結果がアンマッチと判断された場合には、そのアンマッチとなったイラストの該当する部品名コードを強調して表示させる強調表示手段を備えたことを特徴とする。
【００２０】
この請求項５記載の発明では、マッチング処理手段による演算結果が、アンマッチであると判断された場合には、アンマッチとなった該当部品名コードに対して、例えば、カラー表示、点滅、あるいは太字等の表示により強調することができ、これによりチェック作業の効率化を図れるようになる。
【００２１】
また、請求項６記載の発明は、請求項１乃至５のいずれか一項に記載のカタログの部品名コードマッチングシステムに係り、上記ユーザー端末には、上記リストデータファイルのリストデータの修正・変更を可能にするデータ補正手段が設けられていることを特徴とする。
【００２２】
この請求項６記載の発明では、データベースサーバーにデータ補正手段を接続しているので、部品について設計変更があったにも拘わらず、その設計変更の情報が洩れていた場合や、リストデータファイル側のデータのミスを修正したり変更したりする必要が生じたような場合に、データ補正手段により修正データ、変更データ等が自動的に補正されてリストデータファイルに変換して格納され、これにより、マッチング作業を常に最新のリストデータに基づいて行われ、正確・迅速なマッチング処理を確保できるようになる。
【００２３】
【発明の実施の形態】
本発明の実施の形態を、図１乃至図８に基づいて詳述する。以下の実施の形態では、自動車部品のカタログのイラスト作画の場合を例に挙げて説明していくことする。
図１は、本実施の形態に係るカタログの部品名コードマッチングシステムのシステム構成を示し、支社ホストコンピュータ１は、データベースサーバー２、そのデータベースサーバー２に接続されたイラスト情報ファイル３，マッチング処理手段４１、リスト・カタログ情報ファイル群５，および出力データファイル（以下、ＯＦＩ＝「ｏｕｔｐｕｔ  ｆｉｌｅ  ｉｎｔｅｒｆａｃｅ」と称する）のデータを変換する出力データ変換手段７等を備えている。そして、データベースサーバー２は、支社内において構築されたイントラネット、ＷＡＮ、ＬＡＮ等による通信ネットワークＮ１を介して、支社内の各場所に設置された、それぞれが閲覧表示制御手段６およびデータ補正手段８を有する複数のパーソナルコンピュータでなるユーザー端末９（クライアント端末）に接続され、カタログの部品名コードマッチングシステムとしてのクライアント・サーバーシステムを構成するものである。
また、データベースサーバー２は、本社のホストコンピュータ１０に、例えば、公衆回線を利用したダイアルアップフレームリレー網、インターネット等の通信ネットワークＮ２を介して接続されている。
【００２４】
なお、本実施の形態においては、各ユーザー端末９は、データベースサーバー２との間を、例えば、ネットワークプロトコルとしてＴＣＰ／ＩＰ通信プロトコルを利用したＨＴＴＰ（Ｈｙｐｅｒ  Ｔｅｘｔ  Ｔｒａｎｓｆｅｒ  Ｐｒｏｔｏｃｏｌ）によってデータの送受信を行うようにしている。また、このデータベースサーバー２は、イラスト情報ファイル３、リスト・カタログ情報ファイル群５等のデータベースを管理制御するファイルサーバー機能等が備えられている。さらに、データベースサーバー２は、後で詳細に説明するマッチング処理手段４１，ＯＦＩデータ変換手段７等を制御することで、ユーザー端末９およびモニタ画面９ａと、上記イラスト情報ファイル３とリスト・カタログ情報ファイル群５との間でのデータの送受信を行うように形成されているものである。
【００２５】
ユーザー端末９には、設計製図作画支援アプリケーションがインストールされ、イラスト作成者は、部品製作図面を横において見ながらユーザー端末９から最作図面に記載の情報を入力していくことで、図９に示すような部品イラストが作画される。このとき、モニタ画面を見ながらイラストに画かれた部品が属するグループ番号、その部品に付される部品名コード（ＰＮＣ）、そのイラストに付されるイラスト番号等のイラスト情報も記入されていくが、イラストだけでなく、これらの部品名コード、イラスト番号等の情報も、イラスト情報として、設計製図作画支援アプリケーションにより数値化される。その数値化されたイラスト情報は、ＣＡＤのサーバー（図示しない）に、出力データファイル（ＯＦＩファイル）として記録されていく。
【００２６】
ＯＦＩデータ変換手段７を説明する。すなわち、このＯＦＩデータ変換手段７は、出力データファイルに数値化されたイラスト情報を、ＯＦＩデータ変換手段７により、グループ番号毎に階層化処理し、各部品名コードをグループ番号毎にまとめて階層構造（ツリー構造）にするものである。例えば、図９に示されるように、部品グループ「エアクリーナ  ＆  インテーク」のイラストを作画する場合には、図２に示す部品名コードの階層構造図のように、ＯＦＩデータ変換手段７によって、エアクリーナ＆インテーク装置を構成する主要部品に共通して付与されるメイングループ番号Ｅ１（例えば、「１５」）の下層に、サブグループ番号Ｅ２（例えば、「−０１０」）が配置され、さらに、これら各サブグループのフォルダ内に、イラスト番号Ｇ及びそれに関係付けられる部品名コード「１１０００Ａ」のエアクリーナＡＳＳＹ、部品名コード「１１００２Ｂ」のインテークアダプタ、部品名コード「１１００８」のベーンアダプタ、部品名コード「１１０２０」のエレメント、部品名コード「１１１７１」のバキュームバルブ、部品名コード「１１２９３Ｎ」のナット等の部品名コードが格納され、全体としてメイングループ番号Ｅ１が、サブグループ番号Ｅ２毎に区分けされ、各イラスト番号Ｇに属する構成部品が、付された品名コードＦによって整理して管理される。
【００２７】
上記ＯＦＩデータ変換手段７によって各サブグループ番号Ｅ２毎に階層構造にまとめられたイラスト情報は、データベースサーバー２を介してイラスト情報ファイル３に格納され、後述するマッチング処理において利用されるものである。
【００２８】
また、本社ホストコンピュータ１０からは、通信ネットワークＮ２を通じて図３のようなリストデータや、図４に示すカタログ番号リスト等のデータが支社ホストコンピュータ１に送信されてくる。支社ホストコンピュータ１のデータベースサーバー２は、これらテキストファイル化された本文リストデータ、つまりリストデータ１１およびカタログ番号リスト１２のデータを受信し、受信されたデータは、それぞれリスト・カタログ情報データベース５に、拡張子が「ＰＣＣ」（パーツ・カタログ・コード）であるリストデータファイル５１，および拡張子が「ＩＬ」（イラスト・リスト）や「ＩＣ」（イラスト・コード）であるカタログ番号ファイル５２がそれぞれ格納されるようになっており、後述するマッチング処理において利用されるものである。
【００２９】
すなわち、上記リストデータファイル５１には、図３に示すように、カタログ番号、グループ番号、および当該グループ番号に関係付けられた部品名コード（ＰＮＣ）といったリストデータがリスト形式で記録されている。このリストデータファイル５１により、グループ番号別に仕分けされた部品名コードが管理され、後述するマッチング処理において利用されるものである。
【００３０】
また、上記カタログ番号ファイル５２には、図４に示すカタログ番号リスト１２のように、カタログ番号、そのカタログ番号に属するグループ番号、各グループ番号に対応するイラスト番号等のデータが関係付けられて記録され、且つ、カタログ一冊毎にまとめられて記録されている。このカタログ番号ファイル５２は、どのカタログ番号のカタログが、どのイラストを持っているかを管理するファイルである。
【００３１】
次に、マッチング処理手段４１について説明する。このマッチング処理手段４１は、モニタ画面上に部品名コードのチェック対象となるイラストを表示した状態にし、イラスト情報ファイル３から読み出された表示状態にあるイラストに関する部品名コードと、リストデータファイル５１から読み出された部品名コードとを相互にチェックしてアンマッチの有無を演算する機能を有するように構成されている。これをより具体的に説明すると、まず、例えば、イラスト作成者が、ユーザー端末９からマッチング処理を行う指令信号を通信ネットワークＮ１を介してデータベースサーバー２に送信すると、マッチング処理手段４１は、リストデータファイル５１（図３参照）の中からマッチング対象となっている部品名コードを、グループ番号を基にして抽出し、マッチングのための対象グループ番号に属する部品名コード群を作成する。
【００３２】
これと並行して、マッチング処理手段４１は、カタログ番号ファイル５２から、そのイラスト番号をキーとしてイラスト情報ファイル３の中からそのグループ番号に対応するイラスト番号、およびイラスト番号に属する部品名コードに関するデータ（図２参照）を抽出して部品名コード群を作成する。
【００３３】
そして、マッチング処理手段４１は、イラスト情報ファイル３のデータによって作成された部品名コード群と、リスト・カタログ情報ファイル群５のリストデータファイル５１によって作成された部品名コード群とを、例えば差集合演算等を利用して演算するようになっている。
【００３４】
マッチング処理手段４１は、例えば、リストデータファイル５１側に部品名コードは有るが、イラスト側に該当部品名コードが無い場合、リストデータファイル５１側に部品名コードは無く、イラスト側に該当部品名コードが有る場合、リストデータファイル側とイラスト側のいずれの側の部品名コードも、食い違っている場合等には、いずれもアンマッチ状態（異常）と判断し、また、リストデータファイル５１側とイラスト側に過不足無く部品名コードが存在する場合はマッチ状態（正常）と判断する。
【００３５】
また、ユーザー端末９には、閲覧表示制御手段６が設けられ、ユーザー端末９からの指示によりイラスト情報ファイル３と、リスト・カタログ情報ファイル群５の情報を適宜モニタ画面９ａに表示する機能を有するものである。この閲覧表示制御手段６により、マッチングの処理対象となるイラストを、モニタ画面９ａに複数同時に表示するようにしたり、マッチング処理手段４１による演算結果を表示したりするようになっている。
これらの判断結果は、ユーザー端末９側のストックリスト格納部４に記録されるようになっている。
【００３６】
また、閲覧表示制御手段６には、マッチング処理手段による演算結果がアンマッチと判断された場合には、そのアンマッチとなったイラストの該当する部品名コードを強調して表示させる強調表示手段が備えられている。これにより、例えば、マッチング処理の結果、アンマッチと判断された場合には、モニタ画面のイラスト上で、アンマッチに該当する部品名コードを、カラー表示させたり、太字表示して強調したり、あるいは点滅表示させたりするようになっている。
【００３７】
また、上記ユーザー端末９には、リストデータファイル５１のリストデータの修正・変更を可能にするデータ補正手段８が設けられている。これは、部品が設計変更されたような場合には、その都度部品名コード等が修正・変更を行うが、その修正・変更が洩れていたときには、後からリストデータファイル５１の該当データを修正する機能を有するものである。
【００３８】
次に、本実施の形態のカタログの部品名コードマッチングシステムにおけるマッチング操作の手順を、図５〜図８を参照して説明する。すなわち、イラスト作成者あるいはマッチング処理作業者は、モニタ画面２０の「Ｐ／Ｃボタン」２１を左クリックすると（ステップＳ１）、画面左側が切り替わり、リスト・カタログ情報ファイル群５の中から、拡張子「ＰＣＣ」（パーツ・カタログ・コード）を有するリストデータファイル５１からカタログ番号を表示する「ＰＣＣファイル」ボタン２２が読み出されて配列表示される（ステップＳ２）。次いで、マッチング処理対象となるカタログ番号に該当する「ＰＣＣファイル」ボタン２２を選択し、それを左ダブルクリックすることにより、カタログ番号ファイル５２からマッチング対象とする部品カタログが抽出される（ステップＳ３）。これにより、そのカタログ番号に属する構成グループとしてのグループ番号のフォルダ群２３がメイングループとして一覧表示される（ステップＳ４，図６参照）。
【００３９】
次に、ステップＳ５において、一覧表示されたグループ番号のフォルダ群２３の中から、マッチング対象とされるグループ番号に該当するフォルダを選んでクリックし、一覧表示されたサブグループであるサブフォルダの中からマッチング対象となるグループ番号を選び、そのサブグループであるフォルダ２４（サブフォルダ）を「左ダブルクリック」する（ステップＳ５）。すると、カタログ番号ファイル５２におけるカタログ番号リスト１２（図４参照）から、その選ばれたグループ番号が持っているイラスト番号を取得し（ステップＳ６）、その取得されたイラスト番号に対応するイラスト番号が、イラスト情報ファイル３のイラスト情報、すなわち図２で示される部品名コードの階層構造から読み出される。そして、符合するイラスト番号Ｇが抽出されると、図６に示すように、抽出されたイラスト番号に対応するイラストが、モニタ画面９ａにメイングループ番号Ｅ１，サブグループ番号Ｅ２、部品名コードＦと共に表示されることとなる（ステップＳ７）。
【００４０】
他方、サブグループとしてのサブフォルダ２４上で、「右クリック」を行うと（ステップＳ８）、図７に示すように、部品名コードのマッチング処理用の「ＰＮＣチェック（Ｐ）」ボタン２５と、選択したグループのＰＣＣ（部品カタログコード）情報表示用の「エミュレーター（Ｅ）」ボタン２６からなるコンテキストメニューが表示される（ステップＳ９）。「ＰＮＣチェック（Ｐ）」ボタン２５をクリックすると（ステップＳ１０）、図２の構成イラストのＰＮＣ、つまり表示中のイラストにある部品名コードＦと、ＰＣＣファイルのＰＮＣ、つまり図３のリストデータ１１の部品名コード同士の相互チェックが、マッチング処理手段４１（図１参照）により実行される（ステップＳ１１）。相互チェックの結果、アンマッチの有無に関係なく、その結果は、図８に示すように、モニタ画面９ａに子ウィンドゥ２７として表示される（ステップＳ１２）。
【００４１】
子ウィンドゥ２７の右側の「ＩＬ」（イラストリスト）にあるＰＮＣ（部品名コード）をダブルクリックすることで、表示中のイラストの該当ＰＮＣの色が、閲覧表示制御手段６により変わり、また、図示はしないが、子ウィンドゥとして一覧表示されているＰＮＣにもチェックマークが付くようになる。
【００４２】
また、子ウィンドゥ２７のボタン２８を押すことにより、アンマッチの内容が、プリンターに出力し、ボタン２９を押すことで、アンマッチ内容がユーザー端末９の記憶部エリアであるストックリスト格納部４にストックリスト（図示せず）として書き込まれる（ステップＳ１３）。
【００４３】
以上のように、本実施の形態によれば、設計製図作画アプリケーションを利用して作成したイラストの作画データを、グループ番号毎に階層化処理することで出力データファイル（図２参照）を作成し、その作成された出力データファイルと、テキストファイル化された本文リストであるリストデータ１１およびカタログ番号リスト１２とを基にして、各ユーザー端末９からそれぞれの項目キー（ＰＮＣ）同士のマッチング処理を行うため、瞬時にアンマッチ分を判明させることができ、従来のように人の目視によるチェックを不要化でき、また、機械チェックであるため、チェック洩れがなく、また、第三者の検証に際しても同じ条件で行うことが可能となり、さらに、閲覧表示制御手段６によりモニタ画面に複数のイラストを表示できるようにしているので、マッチング処理を効率的に行うことができる。さらにまた、アンマッチとなった場合には、そのイラストのＰＮＣに対して色付きで強調表示するため、アンマッチの箇所を視認するのが容易となり、目の疲労感を軽減することが可能となる等の作用効果がある。
【００４４】
以上、本発明の実施の形態を図面により詳述してきたが、具体的な構成はこの実施の形態に限られるものでなく、本発明の要旨を逸脱しない範囲の設計の変更等があっても本発明に含まれる。
たとえば、上記実施の形態では、閲覧表示制御手段６，データ補正手段８をユーザー端末９に設け、ＯＦＩデータ変換システム７を支社ホストコンピュータ１内のデータベースサーバー２に接続した場合について説明したが、これらを逆にして、すなわち、閲覧表示制御手段６，データ補正手段８を支社ホストコンピュータ１内に、ＯＦＩデータ変換手段７をユーザー端末９側の記憶制御回路（ハードディスクドライブ等の記憶エリア）に設けるようにしてもよいことは言うまでもない。
また、上記実施の形態では、カタログ・イラスト情報や部品名コードといったリストデータは、本社ホストコンピュータ１０から支社ホストコンピュータ１に送信されてくるようにしたが、これらをカタログ作成依頼元のホストコンピュータから送信されてくる態様にも応用できるのはもちろんである。
【００４５】
【発明の効果】
以上により、請求項１記載の発明によれば、設計製図作画アプリケーションを利用して作成したイラストの作画データに基づいて、グループ番号毎に部品名コードを階層化処理し（図２参照）、その階層構造に作成されたイラスト情報と、テキストファイル化された本文リストであるリストデータおよびカタログ番号リストとを利用して、マッチング処理手段により、イラスト側の部品名コードとリスト側の部品名コードとが相互にチェックされるようにしたので、瞬時にしてＰＮＣの相互チェックが可能となり、その結果従来行っていたような紙媒体を見比べての目視によるチェックを不要化し、チェック作業者の疲労を大幅に低減でき、また、第三者のチェックの検証を同じ条件で行うことが可能となり、さらには、コンピュータを利用した機械チェックであるため、チェック洩れがなく、しかもペーパーレス化を図れるので、環境資源の節減に有効となる等の効果を奏する。
【００４６】
また、請求項２記載の発明によれば、ユーザー端末とデータベースサーバーとの間を、例えば社内通信網であるインターネット、ＬＡＮ、ＷＡＮ、イントラネット、さらには広域通信網としてのエクストラネット等のネットワークで接続し、これによりクライアント・サーバーシステムを形成しているので、ユーザー端末を複数設置することで、イラスト作画作業だけでなく、ＰＣＮチェック作業、ひいては第三者による検証作業をも遠隔地から、しかも同時にアクセスして行うことができ、これにより作業の効率化を顕著に向上することができる効果を奏する。
【００４７】
また、請求項３記載の発明によれば、閲覧表示制御手段によって、ユーザー端末のモニタ画面上に複数のイラストを同時表示できるようなるので、部品名コード、すなわちＰＮＣのマッチング作業の能率を向上できる効果を奏する。
【００４８】
また、請求項４記載の発明によれば、マッチング処理手段による演算結果が、マッチング演算結果データベースにストックリストとして格納（登録）されるため、ユーザー端末からの指令によってマッチング演算結果データベースからマッチングの結果を読み出すことが可能となり、そのためマッチングのデータ（結果）をモニタ画面に表示することができ、さらには、登録されたデータをプリンタ出力したりすることもでき、これにより操作性に優れたマッチングシステムを得ることができる効果を奏する。
【００４９】
また、請求項５記載の発明によれば、マッチング処理手段による演算結果が、アンマッチであると判断された場合には、アンマッチとなった該当部品名コードに対して、例えば、カラー表示、点滅、あるいは太字等の表示により強調することができ、これによりチェック作業の効率化を図れる効果を奏する。
【００５０】
また、請求項６記載の発明によれば、データベースサーバーにデータ補正手段を接続しているので、部品について設計変更があったにも拘わらず、その設計変更の情報が洩れていた場合や、リストデータファイル側のデータのミスを修正したり変更したりする必要が生じたような場合に、データ補正手段により修正データ、変更データ等が自動的に補正されてリストデータファイルに変換して格納され、これにより、マッチング作業を常に最新のリストデータに基づいて行われ、正確・迅速なマッチング処理を実行できる効果を奏する。
【図面の簡単な説明】
【図１】本実施の形態のカタログの部品名コードマッチングシステムにおけるシステム構成を示すシステム構成図である。
【図２】本実施の形態の出力データファイルにおける部品名コードが、出力データ変換手段により階層化処理される部品名コードの階層構造を示した図である。
【図３】リスト・カタログ情報データベースに格納されるリストデータファイルのリストデータを説明する図である。
【図４】同様に、リスト・カタログ情報データベースに格納されるカタログ番号ファイルの内容を示すカタログ番号リストである。
【図５】本実施の形態におけるマッチング操作の手順示すフロー図である。
【図６】本実施の形態におけるユーザー端末において、マッチング処理を行うモニタ画面を示す。
【図７】サブグループ上で右クリックした場合において、コンテキストメニューが表示された状態を示す子ウィンドゥ画面である。
【図８】マッチング処理の結果を示す子ウィンドゥである。
【図９】部品カタログのイラストを表示したページを示す説明図である。
【図１０】部品カタログの部品名コード等を記載したページを示す説明図である。
【図１１】従来におけるマッチング処理の流れを示す説明図である。
【符号の説明】
１  支社ホストコンピュータ
２  データベースサーバー
３  イラスト情報ファイル
４  ストックリスト格納部
５  リスト・カタログ情報ファイル群
６  閲覧表示制御手段
７  ＯＦＩデータ変換手段
８  データ補正手段
９  ユーザー端末
１０  本社ホストコンピュータ
１１  リストデータ
１２  カタログ番号リスト
４１  マッチング処理手段
５１  リストデータファイル
５２  カタログ番号ファイル
Ｅ１  メイングループ番号
Ｅ２  サブグループ番号
Ｆ  部品名コード
Ｇ  イラスト番号
Ｎ１，Ｎ２  通信ネットワーク
【図１】
2004348521.tif 000003
【図２】
2004348521.tif 000004
【図３】
2004348521.tif 000005
【図４】
2004348521.tif 000006
【図５】
2004348521.tif 000007
【図６】
2004348521.tif 000008
【図７】
2004348521.tif 000009
【図８】
2004348521.tif 000010
【図９】
2004348521.tif 000011
【図１０】
2004348521.tif 000012
【図１１】
2004348521.tif 000013